(57)【要約】【課題】加熱発泡材を備え、防火性能を向上できる建具を提供すること。【解決手段】枠体１０及び枠体１０に開閉可能に取り付けられる障子２０を備える建具１であって、枠体１０は、樹脂製の縦枠１３，１４と、縦枠１３，１４に接合される樹脂製の横枠１１，１２と、を有し、縦枠１３，１４及び横枠１１，１２の内部の少なくとも一部に配置される金属製の芯材１１０，１３０，１４０と、芯材１１０，１３０，１４０よりも室外側において、枠体１０における障子２０と対向する面に配置される加熱発泡材１９０ａ，１９０ｂ，１９０ｃと、を備える。【選択図】図６
2019085826.tif 000002
【特許請求の範囲】
【請求項１】
枠体及び前記枠体に開閉可能に取り付けられる障子を備える建具であって、
前記枠体は、樹脂製の縦枠と、前記縦枠に接合される樹脂製の横枠と、を有し、
前記縦枠及び前記横枠の内部の少なくとも一部に配置される金属製の芯材と、
前記芯材よりも室外側において、前記枠体における前記障子と対向する面に配置される加熱発泡材と、を備える建具。
【請求項２】
前記枠体は、前記芯材よりも室外側において前記縦枠又は前記横枠の長手方向に延びて形成される溝を有し、
前記加熱発泡材は、前記溝における前記障子と対向する面に配置される請求項１に記載の建具。
【請求項３】
前記障子の外縁を構成する樹脂製の框体と、
前記框体に取り付けられ、前記障子が閉鎖位置にある状態において、前記加熱発泡材に対向して配置される金属製の対向部材と、を更に備える請求項１又は２に記載の建具。
【請求項４】
前記加熱発泡材は、火災時に前記対向部材側に発泡することで前記対向部材に当接する請求項３に記載の建具。
【請求項５】
前記縦枠は、前記障子の縦框とヒンジを介して連結される吊元側縦枠を有し、
前記建具は、前記吊元側縦枠の内側に形成される中空部に配置され前記ヒンジを固定するネジを締結するための裏板部材を備え、
前記加熱発泡材は、前記吊元側縦枠における前記障子と対向する面に配置される請求項１〜４のいずれかに記載の建具。
【発明の詳細な説明】
【技術分野】
【０００１】
本発明は、枠体及び枠体に開閉可能に取り付けられる障子を備える建具に関する。
【背景技術】
【０００２】
従来、建物の開口部に設けられる建具において、火災発生時に枠体と障子の間の隙間を埋めるために加熱発泡材を配置する技術が知られている。この種の加熱発泡材に関する技術を開示するものとして例えば特許文献１及び２がある。
また、断熱性能を向上させるために枠体等を樹脂で構成し、枠体の内側の中空部に金属製の芯材を配置して防火性能を向上させた樹脂製の建具が知られている。
【先行技術文献】
【特許文献】
【０００３】
【特許文献１】特開２０１６−５６５６０号公報
【特許文献２】特開２０１７−２６３９号公報
【発明の概要】
【発明が解決しようとする課題】
【０００４】
建具において、加熱発泡材を配置したり、枠体の内側の中空部に金属製の芯材を配置したりして、防火性能を向上させている。防火性能を向上させるために、更なる改良が求められている。
【０００５】
本発明は、加熱発泡材を備え、防火性能を向上できる建具を提供することを目的とする。
【課題を解決するための手段】
【０００６】
本発明は、枠体（例えば、後述の枠体１０）及び前記枠体に開閉可能に取り付けられる障子（例えば、後述の障子２０）を備える建具（例えば、後述の建具１）であって、前記枠体は、樹脂製の縦枠（例えば、後述の吊元側縦枠１３、戸先側縦枠１４）と、前記縦枠に接合される樹脂製の横枠（例えば、後述の上枠１１、下枠１２）と、を有し、前記縦枠及び前記横枠の内部の少なくとも一部に配置される金属製の芯材（例えば、後述の上枠芯材１１０、縦枠芯材１３０，１４０）と、前記芯材よりも室外側において、前記枠体における前記障子と対向する面に配置される加熱発泡材（例えば、後述の加熱発泡材１９０ａ，１９０ｂ，１９０ｃ）と、を備える建具に関する。
【０００７】
また、前記枠体は、前記芯材よりも室外側において前記縦枠又は前記横枠の長手方向に延びて形成される溝（例えば、後述の溝１１ｊ，１３ｊ，１４ｊ）を有し、前記加熱発泡材は、前記溝における前記障子と対向する面に配置されることが好ましい。
【０００８】
また、前記障子の外縁を構成する樹脂製の框体（例えば、後述の框体３０）と、前記框体に取り付けられ、前記障子が閉鎖位置にある状態において、前記加熱発泡材に対向して配置される金属製の対向部材（例えば、後述のスライドプレート５１、台座部３１５）と、を更に備えることが好ましい。
【０００９】
また、前記加熱発泡材は、火災時に前記対向部材側に発泡することで前記対向部材に当接することが好ましい。
【００１０】
また、前記縦枠は、前記障子の縦框（例えば、後述の吊元側縦框３３）とヒンジ（例えば、後述のヒンジ１５）を介して連結される吊元側縦枠を有し、前記建具は、前記吊元側縦枠の内側に形成される中空部（例えば、後述の中空部１３ａ）に配置され前記ヒンジを固定するネジ（例えば、後述のネジ１３ｉ）を締結するための裏板部材（例えば、後述の裏板１３ｈ）を備え、前記加熱発泡材は、前記吊元側縦枠における前記障子と対向する面に配置されることが好ましい。
【発明の効果】
【００１１】
本発明によれば、加熱発泡材を備え、防火性能を向上できる建具を提供することができる。
【図面の簡単な説明】
【００１２】
【図１】本発明の一実施形態に係る建具を室外側から見た様子を示す図である。
【図２】本実施形態の建具の縦断面図である。
【図３】本実施形態の建具の横断面図である。
【図４】本実施形態の建具が備える上枠の障子と対向する面に配置される加熱発泡材を示す縦断面図である。
【図５】本実施形態の建具が備える戸先側縦枠の障子と対向する面に配置される加熱発泡材を示す横断面図である。
【図６】本実施形態の建具が備える吊元側縦枠の障子と対向する面に配置される加熱発泡材を示す横断面図である。
【図７】本実施形態の建具が備える吊元側縦枠の障子と対向する面に配置される加熱発泡材を上枠を取り外した状態で示す斜視図である。
【発明を実施するための形態】
【００１３】
以下、本発明の好ましい実施形態について、図面を参照しながら説明する。なお、本明細書において、「見付方向」とは、建物に形成された開口部に納められた建具の枠体に収められる障子の面内方向を意味し、「見込方向」とは、室内外方向（即ち、奥行き方向）を意味する。
【００１４】
図１は、本発明の一実施形態に係る建具１を室外側から見た様子を示す図である。図１に示す建具１は、建物開口部に固定される枠体１０と、枠体１０に複数のヒンジ１５を介して開閉可能に取り付けられる外開きの障子２０と、を備える防火仕様の勝手口ドアである。
【００１５】
まず、枠体１０の構成について説明する。枠体１０は、上枠１１、下枠１２、吊元側縦枠１３及び戸先側縦枠１４が矩形に枠組みされて構成される。上枠１１、下枠１２、吊元側縦枠１３及び戸先側縦枠１４は、何れも樹脂製であり、溶着によって接合される。これらの樹脂製の枠（上枠１１、下枠１２、吊元側縦枠１３及び戸先側縦枠１４）は、内部に中空部を有する押出し形材であり、後述する中空部が枠の押し出し方向に沿って連続している。
【００１６】
図２は、本実施形態の建具１の縦断面図である。上枠１１の内部は、複数の空間に区画されている。上枠１１内部の複数の空間のうち、見込方向に並ぶ空間を室外側から室内側の順に中空部１１ａ，１１ｂ，１１ｃとすると、見込方向中央に位置する中空部１１ｂに金属製の上枠芯材１１０が配置される。また、上枠１１の室内側下部には、下方に延びる延出部１１ｅが形成され、延出部１１ｅの室外側の見付面にはクッション材１１ｇを嵌合固定する嵌合部１１ｆが設けられる。
【００１７】
本実施形態の上枠芯材１１０は、断面形状が略Ｕ字状の長尺部材であり、Ｕ字の開口側が室内側を向くように中空部１１ｂに配置される。上枠芯材１１０の下面と中空部１１ｂの内壁の間には帯状の加熱発泡材９０ａが配置される。加熱発泡材９０ａは、火災等によって所定の温度に達すると発泡して隙間を塞ぐものである。
【００１８】
下枠１２の内部も、上枠１１と同様に複数の空間に区画されている。下枠１２内部で見込方向に並ぶ空間を室外側から室内側の順に中空部１２ａ，１２ｂ，１２ｃとすると、見込方向中央に位置する中空部１２ｂに金属製の下枠芯材１２０が配置される。本実施形態の下枠芯材１２０は、角筒状の長尺部材である。また、下枠１２の室内側上部には、上方に延びる延出部１２ｅが形成され、該延出部１２ｅにもクッション材１２ｇを嵌合固定する嵌合部１２ｆが形成される。
【００１９】
図３は、本実施形態の建具１の横断面図である。吊元側縦枠１３も、その内部が複数の空間に区画されている。吊元側縦枠１３内部の複数の空間のうち、見込方向に並ぶ空間を室外側から室内側の順に中空部１３ａ，１３ｂ，１３ｃとすると、見込方向中央に位置する中空部１３ｂに金属製の縦枠芯材１３０が配置される。吊元側縦枠１３の室内側には見付方向戸先側に延びる延出部１３ｅが形成され、該延出部１３ｅにクッション材１３ｇを嵌合固定する嵌合部１３ｆが設けられる。
【００２０】
本実施形態の縦枠芯材１３０は、断面形状が略Ｕ字状の長尺部材であり、Ｕ字の開口側が室内側を向くように中空部１３ｂに配置される。縦枠芯材１３０の戸先側の面と中空部１３ｂの内壁の間には帯状の加熱発泡材９０ｂが配置される。
【００２１】
また、枠体１０の吊元側縦枠１３と障子２０の吊元側縦框３３の間には、上下方向に間隔をあけて複数のヒンジ１５が配置される（図１参照）。吊元側縦枠１３（縦枠）は、障子２０の吊元側縦框３３とヒンジ１５を介して連結される。中空部１３ａには、ヒンジ１５を固定するネジ１３ｉを締結する裏板部材１３ｈが配置される。本実施形態では、ヒンジ１５を締結するネジ１３ｉは、裏板部材１３ｈを貫通して中空部１３ｂの縦枠芯材１３０まで達しており、ヒンジ１５は縦枠芯材１３０にも締結固定される。
【００２２】
戸先側縦枠１４の内部も、複数の空間に区画されている。複数の空間のうち、見込方向で並ぶ空間を室外側から室内側の順に中空部１４ａ，１４ｂ，１４ｃとすると、見込方向中央に位置する中空部１４ｂに金属製の縦枠芯材１４０が配置される。本実施形態の縦枠芯材１４０は、断面形状が略Ｕ字状の長尺部材であり、Ｕ字の開口側が室内側を向くように中空部１４ｂに配置される。縦枠芯材１４０の吊元側の面と中空部１４ｂの内壁の間には帯状の加熱発泡材９０ｃが配置される。戸先側縦枠１４の室内側にも見付方向吊元側に延びる延出部１４ｅが形成され、該延出部１４ｅにクッション材１４ｇを嵌合固定する嵌合部１４ｆが設けられる。
【００２３】
また、戸先側縦枠１４の吊元側を向く見込面には、後述する障子２０のロックピン５２が嵌合するロックピン受け金具１６が固定される。ロックピン受け金具１６は、上下方向に間隔をあけて複数設けられる。本実施形態のロックピン受け金具１６は、締結部材としてのネジを介して縦枠芯材１４０に締結固定される。
【００２４】
枠体１０の左上及び右上には、枠側コーナー金具４６がそれぞれ配置される。枠側コーナー金具４６は、Ｌ字状の金属部材であり、枠体１０の外側に配置される。枠側コーナー金具４６は締結部材としてのネジによって枠体１０の内側の芯材に締結固定される。本実施形態では、枠体１０の戸先側上部では上枠芯材１１０と縦枠芯材１４０が枠側コーナー金具４６によって連結され、吊元側上部では上枠芯材１１０と縦枠芯材１３０が連結される。
【００２５】
次に、障子２０の構成について説明する。障子２０は、ガラス２５と、ガラス２５を囲うように構成される框体３０と、を含むように構成される戸体である。
【００２６】
ガラス２５は、室外側に配置される室外側ガラス２５ａと、室外側ガラス２５ａに対して隙間をあけて室内側に配置される室内側ガラス２５ｂと、を備える複層ガラスである。室外側ガラス２５ａと室内側ガラス２５ｂの間にはスペーサ２６等が配置される。本実施形態では、室外側ガラス２５ａは網入ガラスで構成され、室内側ガラスはＬｏｗ−Ｅ（Ｌｏｗ  Ｅｍｉｓｓｉｖｉｔｙ）ガラスで構成される。
【００２７】
框体３０は、上框３１、下框３２、吊元側縦框３３（縦框）及び戸先側縦框３４が矩形に枠組みされて構成される。上框３１、下框３２、吊元側縦框３３及び戸先側縦框３４は、何れも樹脂製であり、溶着によって接合される。これらの樹脂製の框（上框３１、下框３２、吊元側縦框３３及び戸先側縦框３４）は、内部に中空部を有する押出し形材であり、後述する中空部が框の押し出し方向に沿って連続している。
【００２８】
上框３１の内部は、複数の空間に区画されている。上框３１内部の複数の空間のうち、見込方向に並ぶ空間を室外側から室内側の順に中空部３１ａ，３１ｂ，３１ｃとすると、見込方向中央に位置する中空部３１ｂに金属製の上框芯材３１０が配置される。
【００２９】
本実施形態の上框芯材３１０は、断面形状が略Ｕ字状の長尺部材であり、Ｕ字の開口側が室内側を向くように中空部３１ｂに配置される。上框芯材３１０の下面と中空部３１ｂの内壁の間には帯状の加熱発泡材９０ｄが配置される。また、上框芯材３１０のＵ字の内側における室内側を向く面にも帯状の加熱発泡材９０ｅが配置される。
【００３０】
上框３１の室外側上部には、上枠１１の一部に見込方向で対面する延出部３１ｆが形成される。この延出部３１ｆの上枠１１に対面する側には、クッション材３１ｇを嵌合固定する嵌合部３１ｈが設けられる。延出部３１ｆの内側に形成される中空部３１ｉには金属（例えば、スチール）製の室外側芯材３１２が配置される。
【００３１】
本実施形態の室外側芯材３１２は、断面形状が略Ｕ字状の長尺部材であり、Ｕ字の開口側が室外側を向くように中空部３１ｉに配置される。また、室外側芯材３１２の室内側の面と中空部３１ｉの内壁の間には帯状の加熱発泡材９０ｆが配置される。
【００３２】
また、上框３１の外側面には、上框３１の長手方向に沿って延びる嵌合溝３１ｊが形成される。嵌合溝３１ｊには、金属（例えば、アルミニウム材）製の台座部３１５が嵌合固定される。上框３１の嵌合溝３１ｊの室内側に位置する中空部３１ｋには室内側芯材３１３が配置される。上框３１の室外側下部には押し縁部材３６を嵌合する嵌合部３１ｍが設けられ、上框３１の室内側下部にはガラス止め部材３７を嵌合する嵌合部３１ｎが設けられる。
【００３３】
下框３２、吊元側縦框３３及び戸先側縦框３４の基本的構成は上框３１と同様である。以下の説明において上框３１と同様の構成については共通の規則性（アルファベット）で符号を付してその説明を省略する場合がある。
【００３４】
下框３２は、見込方向に並ぶ複数の中空部３２ａ，３２ｂ，３２ｃのうち、見込方向中央に位置する中空部３２ｂに下框芯材３２０が配置される。下框芯材３２０は金属によって筒状に成形される。下框３２の室外側下部には延出部３２ｆが形成され、該延出部３２ｆの室内側にはクッション材３２ｇを嵌合固定する嵌合部３２ｈが設けられる。延出部３２ｆの上方には樹脂製の押し縁部材３６用の嵌合部３２ｍが設けられる。下框３２の室内側上部にはガラス止め部材３７用の嵌合部３２ｎが設けられる。
【００３５】
下框３２の下面に形成される嵌合溝３２ｊには、樹脂製の下がり止め部材３８が配置される。樹脂製の下がり止め部材３８は、通常使用時の障子２０の下がりを防止するためのものであり、その下部が室内側から室外側に向かうにつれて下側に近づくように傾斜した形状で成形される。また、火災発生時の障子２０の下がりを防止するため、下框３２には樹脂製の下がり止め部材３８とは別部材として金属製の下がり止め部材３９が設けられる。
【００３６】
吊元側縦框３３は、見込方向に並ぶ複数の中空部３３ａ，３３ｂ，３３ｃのうち、見込方向中央に位置する中空部３３ｂに縦框芯材３３０が配置される。本実施形態の縦框芯材３３０は、断面形状が略Ｕ字状の長尺部材であり、Ｕ字の開口側が室内側を向くように中空部３３ｂに配置される。縦框芯材３３０の吊元側縦枠１３側の面と中空部３３ｂの内壁の間には帯状の加熱発泡材９０ｇが配置される。また、縦框芯材３３０のＵ字の内側における室内側を向く面にも帯状の加熱発泡材９０ｈが配置される。
【００３７】
吊元側縦框３３には吊元側縦枠１３側に延出する延出部３３ｆが形成される。延出部３３ｆの室内側にはクッション材３３ｇを嵌合固定する嵌合部３３ｈが設けられる。また、延出部３３ｆの内側には中空部３３ｉが形成される。吊元側縦框３３の吊元側の面に形成される嵌合溝３３ｊには、台座部３１５が嵌合固定される。また、吊元側縦框３３における台座部３１５の室内側に位置する中空部３３ｋには金属（例えば、スチール）製の室内側芯材３１３が配置される。吊元側縦框３３の室外側の戸先側には押し縁部材３６用の嵌合部３３ｍが設けられ、室内側の戸先側にはガラス止め部材３７用の嵌合部３３ｎが設けられる。
【００３８】
戸先側縦框３４は、見込方向に並ぶ複数の中空部３４ａ，３４ｂ，３４ｃのうち、見込方向中央に位置する中空部３４ｂに縦框芯材３４０が配置される。本実施形態の縦框芯材３４０は、断面形状が略Ｕ字状の長尺部材であり、Ｕ字の開口側が戸先側縦枠１４の見込面を向くように中空部３４ｂに配置される。縦框芯材３４０のＵ字の内側における戸先側縦枠１４側を向く面には帯状の加熱発泡材９０ｉが配置される。
【００３９】
戸先側縦框３４には戸先側縦枠１４側に延出する延出部３４ｆが形成される。延出部３４ｆの室内側にはクッション材３４ｇを嵌合固定する嵌合部３４ｈが設けられる。延出部３４ｆの内側に形成される中空部３４ｉには室外側芯材３１２が配置される。また、室外側芯材３１２の室内側の面と中空部３４ｉの内壁の間には帯状の加熱発泡材９０ｊが配置される。戸先側縦框３４の室外側の吊元側には押し縁部材３６用の嵌合部３４ｍが設けられ、室外側の吊元側にはガラス止め部材３７用の嵌合部３４ｎが設けられる。
【００４０】
戸先側縦框３４の戸先側面に形成される嵌合溝３４ｊにはスライドプレート５１が嵌合される。スライドプレート５１は、室外側ハンドル５５及び室内側ハンドル５６の操作に連動して戸先側縦框３４の長手方向（上下方向）に移動可能に構成される。スライドプレート５１の戸先側の見込面にはロックピン５２が形成されており、ロックピン５２が戸先側縦枠１４に固定されるロックピン受け金具１６に係合することで、障子２０が閉鎖位置で固定される。
【００４１】
框体３０の内側（ガラス２５側）の見込面にはガラス外れ止め部材４０及び加熱発泡材９１が配置される。ガラス外れ止め部材４０は、框体３０を構成する上框３１、下框３２、吊元側縦框３３及び戸先側縦框３４の見込面のそれぞれに複数配置され、室外側へのガラス２５の外れを防止する金属製部材である。
【００４２】
本実施形態のガラス外れ止め部材４０は、締結部材としてのネジによって框体３０の内側の芯材（上框芯材３１０、下框芯材３２０、縦框芯材３３０及び縦框芯材３４０）に締結固定される。加熱発泡材９１は、帯状の部材であり、ガラス２５の４周を囲うように上框３１、下框３２、吊元側縦框３３及び戸先側縦框３４のそれぞれに配置される。
【００４３】
また、框体３０の内側のコーナー（内隅）には框側コーナー金具６５がそれぞれ配置される。框側コーナー金具６５は、締結部材としてのネジによって框体３０の内側の芯材（上框芯材３１０、下框芯材３２０、縦框芯材３３０及び縦框芯材３４０）に締結固定される。より具体的には、框体３０の戸先側上部では、上框芯材３１０と縦框芯材３４０が框側コーナー金具６５によって連結され、吊元側上部では、上框芯材３１０と縦框芯材３３０が框側コーナー金具６５によって連結される。框体３０の戸先側下部では、下框芯材３２０と縦框芯材３４０が框側コーナー金具６５によって連結され、吊元側下部では、下框芯材３２０と縦框芯材３３０が框側コーナー金具６５によって連結される。
【００４４】
また、枠体１０に開閉可能に吊り込まれる障子２０は、上枠１１と上框３１を接続するアーム部材６１によって所定以上開かないように開閉範囲が規制される。
【００４５】
次に、上枠１１の溝１１ｊに配置される加熱発泡材１９０ａ、吊元側縦枠１３の溝１３ｊに配置される加熱発泡材１９０ｃ、及び戸先側縦枠１４の溝１４ｊに配置される加熱発泡材１９０ｂの構成について説明する。前述の通り、枠体１０は、上下方向に延びる樹脂製の縦枠（吊元側縦枠１３、戸先側縦枠１４）と、左右方向に延び縦枠（吊元側縦枠１３、戸先側縦枠１４）に接合される樹脂製の横枠（上枠１１、下枠１２）と、を有する。障子２０の框体３０は、樹脂製であり、障子２０の外縁を構成する。
【００４６】
図４は、本実施形態の建具１が備える上枠１１の障子２０と対向する面に配置される加熱発泡材１９０ａを示す縦断面図である。図４に示すように、上枠１１の室外側の中空部１１ａを構成する部分の下部には、溝１１ｊが設けられる。溝１１ｊは、下方に開放して形成され、左右方向（上枠１１の長手方向）に延びる。溝１１ｊは、中空部１１ｂに配置される金属製の上枠芯材１１０よりも、見込方向の室外側に配置される。中空部１１ｂは、上枠１１内部の中空部１１ａ，１１ｂ，１１ｃにおける見込方向中央に位置する。また、溝１１ｊは、見込方向の上下方向の位置が、金属製の上枠芯材１１０の見込方向の内側の端部に重なった位置に配置される。
【００４７】
溝１１ｊを構成する部分の上枠１１は、略Ｃ字形状に形成され、Ｃ字の開口側が下方を向くように配置される。溝１１ｊの開口の奥側には、下面１１ｋが形成される。下面１１ｋは、障子２０と対向する面である。下面１１ｋは、中空部１１ａを構成する上枠１１の下方側を向く見込方向の内側を向く面であり、見込方向に幅を有して見付方向に延びる見込面である。溝１１ｊの開口の手前側には、開口を閉じる見込方向に互いに近づくように突出する一対の突起１１ｍが形成されている。仮に、障子を備えずに、枠体にガラスを直接取り付けるＦＩＸ窓を構成する場合に、溝１１ｊを、ガラスの端部を押圧する押し縁部材を取り付けるための嵌合部として使用することも可能である。この場合には、上枠１１を、ＦＩＸ窓の枠材として共通化できる。
【００４８】
溝１１ｊの奥側に形成される上枠１１の溝１１ｊの内部の下面１１ｋには、加熱発泡材１９０ａが配置される。加熱発泡材１９０ａは、帯状の部材であり、左右方向に延び、溝１１ｊの左右方向の全域に配置される。溝１１ｊの開放された部分から下方に離間した位置には、障子２０の上框３１の嵌合溝３１ｊに嵌合固定された金属製の台座部３１５（対向部材）が配置される。金属製の台座部３１５は、溝１１ｊが延びる方向に沿って、左右方向に延びて配置される。金属製の台座部３１５は、障子２０が閉鎖位置にある状態において、溝１１ｊの内部に配置された加熱発泡材１９０ａに対向して配置される。
【００４９】
このように構成される加熱発泡材１９０ａは、火災等の際には、溝１１ｊの開放された部分から下方側に発泡して、金属製の上枠芯材１１０よりも室外側において、上枠１１と障子２０との間を塞ぐ。また、加熱発泡材１９０ａには、金属製の台座部３１５が対向して配置されるため、加熱発泡材１９０ａは、火災等の際に、台座部３１５側に発泡して、障子２０に配置される台座部３１５と上枠１１との間を塞ぐ。加熱発泡材１９０ａは、火災時に台座部３１５側に発泡することで台座部３１５に当接する。これにより、加熱発泡材１９０ａが発泡することで、加熱発泡材１９０ａが配置された位置から台座部３１５が配置された位置までを、発泡した加熱発泡材１９０ａで塞ぐことができる。
【００５０】
図５は、本実施形態の建具１が備える戸先側縦枠１４の障子２０と対向する面に配置される加熱発泡材１９０ｂを示す横断面図である。図５に示すように、戸先側縦枠１４の室外側の中空部１４ａを構成する部分の内側の側部には、溝１４ｊが設けられる。溝１４ｊは、見付方向の内側の側方に開放して形成され、上下方向（戸先側縦枠１４の長手方向）に延びる。溝１４ｊは、中空部１４ｂに配置される金属製の縦枠芯材１４０よりも、見込方向の室外側に配置される。中空部１４ｂは、戸先側縦枠１４内部の中空部１４ａ，１４ｂ，１４ｃにおける見込方向中央に位置する。また、溝１４ｊは、見込方向の左右方向の位置が、金属製の縦枠芯材１４０の見込方向の内側の端部に重なった位置に配置される。
【００５１】
溝１４ｊを構成する部分の戸先側縦枠１４は、略Ｃ字形状に形成され、Ｃ字の開口側が見付方向の内側の側方を向くように配置される。溝１４ｊの開口の奥側には、側面１４ｋが形成される。側面１４ｋは、障子２０と対向する面である。側面１４ｋは、中空部１４ａを構成する戸先側縦枠１４の見込方向の内側の側方を向く面であり、見込方向に幅を有して見付方向に延びる見込面である。溝１４ｊの開口の手前側には、開口を閉じる見込方向に互いに近づくように突出する一対の突起１４ｍが形成されている。仮に、障子を備えずに、枠体にガラスを直接取り付けるＦＩＸ窓を構成する場合に、溝１４ｊを、ガラスの端部を押圧する押し縁部材を取り付けるための嵌合部として使用することも可能である。この場合には、戸先側縦枠１４を、ＦＩＸ窓の枠材として共通化できる。
【００５２】
溝１４ｊの奥側に形成される戸先側縦枠１４の溝１４ｊの内部の側面１４ｋには、加熱発泡材１９０ｂが配置される。加熱発泡材１９０ｂは、帯状の部材であり、上下方向に延び、溝１４ｊの上下方向の全域に配置される。溝１４ｊの開放された部分から見込方向の内側の側方に離間した位置には、障子２０の戸先側縦框３４の嵌合溝３４ｊに嵌合固定された金属製のスライドプレート５１（対向部材）が配置される。金属製のスライドプレート５１は、溝１４ｊが延びる方向に沿って、上下方向に延びて配置される。金属製のスライドプレート５１は、障子２０が閉鎖位置にある状態において、溝１４ｊの内部に配置された加熱発泡材１９０ｂに対向して配置される。
【００５３】
このように構成される加熱発泡材１９０ｂは、火災等の際には、溝１４ｊの開放された部分から下方側に発泡して、金属製の縦枠芯材１４０よりも室外側において、戸先側縦枠１４と障子２０との間を塞ぐ。また、加熱発泡材１９０ｂには、金属製のスライドプレート５１が対向して配置されるため、加熱発泡材１９０ｂは、火災等の際に、スライドプレート５１側に発泡して、障子２０に配置されるスライドプレート５１と戸先側縦枠１４との間を塞ぐ。加熱発泡材１９０ｂは、火災時にスライドプレート５１側に発泡することでスライドプレート５１に当接する。これにより、加熱発泡材１９０ｂが発泡することで、加熱発泡材１９０ｂが配置された位置からスライドプレート５１が配置された位置までを、発泡した加熱発泡材１９０ｂで塞ぐことができる。
【００５４】
図６は、本実施形態の建具１が備える吊元側縦枠１３の障子２０と対向する面に配置される加熱発泡材１９０ｃを示す横断面図である。図７は、本実施形態の建具１が備える吊元側縦枠１３の障子２０と対向する面に配置される加熱発泡材１９０ｃを上枠１１を取り外した状態で示す斜視図である。
【００５５】
図６及び図７に示すように、吊元側縦枠１３（縦枠）は、障子２０の吊元側縦框３３とヒンジ１５を介して連結される。吊元側縦枠１３の室外側の中空部１３ａを構成する部分の内側の側部には、溝１３ｊが設けられる。溝１３ｊは、見付方向の内側の側方に開放して形成され、上下方向（吊元側縦枠１３の長手方向）に延びる。吊元側縦枠１３の室外側の中空部１３ａには、金属製の裏板１３ｈ（裏板部材）が配置されている。裏板１３ｈは、断面形状が略Ｃ字状の長尺部材であり、Ｃ字の開口側が室内側を向くように中空部１３ａに配置される。金属製の裏板１３ｈは、障子２０の吊元側において、複数のヒンジ１５を固定するネジ１３ｉを締結するために中空部１３ａに配置される。ヒンジ１５は、中空部１３ａに配置される金属製の裏板１３ｈにネジ１３ｉを介して吊元側縦枠１３に締結固定される。
【００５６】
溝１３ｊは、中空部１３ｂに配置される金属製の縦枠芯材１３０よりも、見込方向の室外側に配置される。中空部１３ｂは、吊元側縦枠１３内部の中空部１３ａ，１３ｂ，１３ｃにおける見込方向中央に位置する。また、溝１３ｊは、見込方向の左右方向の位置が、金属製の縦枠芯材１３０の見込方向の内側の端部に重なった位置に配置される。
【００５７】
溝１３ｊを構成する部分の吊元側縦枠１３は、略Ｃ字形状に形成され、Ｃ字の開口側が見付方向の内側の側方を向くように配置される。溝１３ｊの開口の奥側には、側面１３ｋが形成される。側面１３ｋは、障子２０と対向する面である。側面１３ｋは、中空部１３ａを構成する吊元側縦枠１３の見込方向の内側の側方を向く面であり、見込方向に幅を有して見付方向に延びる見込面である。溝１３ｊの開口の手前側には、開口を閉じる見込方向に互いに近づくように突出する一対の突起１３ｍが形成されている。仮に、障子を備えずに、枠体にガラスを直接取り付けるＦＩＸ窓を構成する場合に、溝１３ｊを、ガラスの端部を押圧する押し縁部材を取り付けるための嵌合部として使用することも可能である。この場合には、吊元側縦枠１３を、ＦＩＸ窓の枠材として共通化できる。
【００５８】
溝１３ｊの奥側に形成される吊元側縦枠１３の溝１３ｊの内部の側面１３ｋには、加熱発泡材１９０ｃが配置される。加熱発泡材１９０ｃは、帯状の部材であり、上下方向に延び、溝１３ｊの上下方向の全域に配置される。溝１３ｊの開放された部分から見込方向の内側の側方に離間した位置には、障子２０の吊元側縦框３３の嵌合溝３３ｊに嵌合された金属製の台座部３１５（対向部材）が配置される。金属製の台座部３１５は、溝１３ｊが延びる方向に沿って、上下方向に延びて配置される。金属製の台座部３１５は、障子２０が閉鎖位置にある状態において、溝１３ｊの内部に配置された加熱発泡材１９０ｃに対向して配置される。
【００５９】
このように構成される加熱発泡材１９０ｃは、火災等の際には、溝１３ｊの開放された部分から下方側に発泡して、金属製の縦枠芯材１３０よりも室外側において、吊元側縦枠１３と障子２０との間を塞ぐ。また、加熱発泡材１９０ｃには、金属製の台座部３１５が対向して配置されるため、加熱発泡材１９０ｃは、火災等の際に、台座部３１５側に発泡して、障子２０に配置される台座部３１５と吊元側縦枠１３との間を塞ぐ。加熱発泡材１９０ｃは、火災時に台座部３１５側に発泡することで台座部３１５に当接する。これにより、加熱発泡材１９０ｃが発泡することで、加熱発泡材１９０ｃが配置された位置から台座部３１５が配置された位置までを、発泡した加熱発泡材１９０ｃで塞ぐことができる。更に、吊元側縦枠１３の室外側の中空部１３ａには、上枠１１及び戸先側縦枠１４とは異なり、裏板１３ｈが配置される。これにより、吊元側縦枠１３が溶融した場合に、見込方向の外側において、金属製の裏板１３ｈにより、加熱発泡材１９０ｃの発泡をくい止めて、見込方向の内側に向けて加熱発泡材１９０ｃを発泡させることができる。よって、枠体１０と障子２０との隙間を効果的に塞ぐことができ、建具１の見込方向の貫通を低減できる。
【００６０】
以上説明した上記実施形態の構成によれば、以下のような効果を奏する。
建具１は、枠体１０及び枠体１０に開閉可能に取り付けられる障子２０を備え、枠体１０は、樹脂製の縦枠（吊元側縦枠１３、戸先側縦枠１４）と、縦枠（吊元側縦枠１３、戸先側縦枠１４）に接合される樹脂製の横枠（上枠１１、下枠１２）と、を有し、縦枠（吊元側縦枠１３、戸先側縦枠１４）及び横枠（上枠１１、下枠１２）の内部の少なくとも一部に配置される金属製の芯材（上枠芯材１１０、縦枠芯材１３０，１４０）と、芯材（上枠芯材１１０、縦枠芯材１３０，１４０）よりも室外側において、枠体１０における障子２０と対向する面に配置される加熱発泡材１９０ａ，１９０ｂ，１９０ｃと、を備える。
【００６１】
これにより、加熱発泡材１９０ａ，１９０ｂ，１９０ｃは、火災等の際には、溝１３ｊの開放された部分から見付方向の内側に発泡して、芯材（上枠芯材１１０、縦枠芯材１３０，１４０）よりも室外側において、縦枠（吊元側縦枠１３、戸先側縦枠１４）と障子２０との間又は上枠１１と障子２０との間を塞ぐ。これにより、火災等の際に、枠体１０と障子２０との間に隙間が形成されることを抑制できる。よって、防火性能を向上できる。
【００６２】
また、本実施形態では、枠体１０は、芯材（上枠芯材１１０、縦枠芯材１３０，１４０）よりも室外側において縦枠（吊元側縦枠１３、戸先側縦枠１４）又は横枠（上枠１１、下枠１２）の長手方向に延びて形成される溝１１ｊ，１３ｊ，１４ｊを有し、加熱発泡材１９０ａ，１９０ｂ，１９０ｃは、溝１１ｊ，１３ｊ，１４ｊにおける障子２０と対向する面に配置される。
これにより、加熱発泡材１９０ａ，１９０ｂ，１９０ｃを、溝１１ｊ，１３ｊ，１４ｊにおける障子２０と対向する面に配置するだけで、加熱発泡材１９０ａ，１９０ｂ，１９０ｃを、枠体１０における障子２０に対向する面に容易に配置できる。
【００６３】
また、本実施形態では、障子の外縁を構成する樹脂製の框体３０と、框体３０に取り付けられ、障子２０が閉鎖位置にある状態において、加熱発泡材１９０ａ，１９０ｂ，１９０ｃに対向して配置される金属製のスライドプレート５１又は金属製の台座部３１５と、を備える。そのため、加熱発泡材１９０ａ，１９０ｂ，１９０ｃには、金属製のスライドプレート５１又は金属製の台座部３１５が対向して配置されるため、加熱発泡材１９０ａ，１９０ｂ，１９０ｃは、火災等の際に、スライドプレート５１側又は金属製の台座部３１５側に発泡して、戸先側縦枠１４と障子２０との間を塞ぐ。これにより、火災等の際に、枠体１０と障子２０との間に隙間が形成されることを一層抑制できる。
【００６４】
また、本実施形態では、加熱発泡材１９０ａ，１９０ｂ，１９０ｃは、火災時に台座部３１５側又はスライドプレート５１側に発泡することで台座部３１５に当接する。これにより、加熱発泡材１９０ａ，１９０ｂ，１９０ｃが発泡することで、加熱発泡材１９０ａ，１９０ｂ，１９０ｃが配置された位置から台座部３１５又はスライドプレート５１が配置された位置までを、発泡した加熱発泡材１９０ａ，１９０ｂ，１９０ｃで塞ぐことができる。
【００６５】
また、本実施形態では、縦枠（吊元側縦枠１３、戸先側縦枠１４）は、障子２０の吊元側縦框３３とヒンジ１５を介して連結される吊元側縦枠１３を有し、建具１は、吊元側縦枠１３の内側に形成される中空部１３ａに配置されヒンジ１５を固定するネジ１３ｉを締結するための裏板１３ｈを備え、加熱発泡材１９０ｃは、吊元側縦枠１３における障子２０と対向する面に配置される。これにより、吊元側縦枠１３が溶融しても、室外側において、金属製の裏板１３ｈにより、加熱発泡材１９０ｃの発泡をくい止めて、室内側に向けて加熱発泡材１９０ｃを発泡させることができる。よって、枠体１０と障子２０との隙間を効果的に塞ぐことができ、建具１の見込方向の貫通を低減できる。
【００６６】
以上、本発明の好ましい実施形態について説明したが、本発明は、上述の実施形態や変形例に制限されるものではなく、適宜変更が可能である。
例えば、上記実施形態の枠体１０及び框体３０は、何れも樹脂製であるが、枠体１０及び框体３０の見込方向室外側及び室内側の少なくとも何れか一方に、アルミ等の金属製のカバー部材を追加的に配置する構成としてもよい。即ち、樹脂製の枠及び樹脂製の框は、その内部、室内側又は室外側に金属部材を取り付けたものであってもよい。
【００６７】
上記実施形態では、加熱発泡材１９０ａ，１９０ｂ，１９０ｃを枠体１０の溝１１ｊ，１３ｊ，１４ｊに配置したが、これに限定されない。溝を設けずに、枠体１０における障子２０と対向する面を平面状に形成して、平面状の枠体１０の障子２０と対向する面に加熱発泡材を配置してもよい。
【００６８】
また、上記実施形態においては、下枠１２の溝１２ｊには、加熱発泡材は設けられていない。しかし、これに限定されず、上述した上枠１１と同様の構成を採用して、下枠１２の室外側の中空部１２ａを構成する部分の上部に形成される溝１２ｊに、加熱発泡材を設けてもよい。また、加熱発泡材を、上枠１１の溝１１ｊ、下枠１２の溝１２ｊ、吊元側縦枠１３の溝１３ｊ及び戸先側縦枠１４の溝１４ｊのいずれか１つ以上の溝に設けてもよい。
【符号の説明】
【００６９】
１  建具
１０  枠体
１１  上枠（横枠）
１１ｊ  溝
１２  下枠（横枠）
１３  吊元側縦枠（縦枠）
１３ａ  中空部
１３ｉ  ネジ
１３ｊ  溝
１３ｈ  裏板（裏板部材）
１４  戸先側縦枠（縦枠）
１４ｊ  溝
１５  ヒンジ
２０  障子
３０  框体
３３  吊元側縦框（縦框）
５１  スライドプレート（対向部材）
１１０  上枠芯材（芯材）
１３０，１４０  縦枠芯材（芯材）
１９０ａ，１９０ｂ，１９０ｃ  加熱発泡材
３１５  台座部（対向部材）
【図１】
2019085826.tif 000003
【図２】
2019085826.tif 000004
【図３】
2019085826.tif 000005
【図４】
2019085826.tif 000006
【図５】
2019085826.tif 000007
【図６】
2019085826.tif 000008
【図７】
2019085826.tif 000009